(57)【要約】【課題】電気機器が移動されたときに生じるこのような力がコード等に加わることを防ぐことのできる機構を提供する。【解決手段】本体１０と、上記本体１０を移動させようとしたユーザの手によって上に押し上げられる可動部６と、プラグ２０２を本体１０に固定する固定部７と、上記可動部６が上に押し上げられる力を、上記固定部７に伝えることで固定部７を移動させ、それによりプラグ２０２の固定を解除する伝達部８とを設ける。【選択図】図５
2008210596.tif 000002
【特許請求の範囲】
【請求項１】
本体と、
ユーザが上記本体を移動させるときに手をかけるための持ち手と、
外部のコードの一端を上記本体に接続された状態に固定し、上記持ち手に力が加えられたときに上記一端の固定を解除するようになっている固定部と、を備える電気機器。
【請求項２】
上記固定部が固定を解除しても上記コードの一端を上記本体に接続された状態に保持可能であって、上記固定が解除されると共に上記一端を上記本体から離す方向の力が上記一端に働いたときに上記一端を解放する仮固定部をさらに備える請求項１に記載の電気機器。
【請求項３】
上記固定部によって固定されるコードに接続し、上記コードを介して外部の電源から電力を本体に供給する機器側接続端と、
上記本体が設置場所から持ち上げられたことを検知する移動検知部と、
上記機器側接続端を介して供給される電力により稼動し、上記本体が持ち上げられたことを上記移動検知部が検知したときにユーザに警告を発する報知部と、をさらに備える請求項２に記載の電気機器。
【請求項４】
上記仮固定部は、上記本体の外面に設けられ、上記コードの一端と嵌合する凹部である請求項２又は３に記載の電気機器。
【請求項５】
上記持ち手は、上記本体の設置姿勢における上記本体の側面から横方向に突出する凸部であり、
上記持ち手に上記本体の設置姿勢において上向きに加えられた力を、上記固定部に伝える伝達部をさらに備え、
上記固定部は、上記伝達部によって伝達された上記力によって、上記コードの固定を解除するようになっている請求項１〜４のいずれか１項に記載の電気機器。
【請求項６】
上記固定部は、上記本体に接続されるコードの全てを固定するようになっている請求項１〜５のいずれか１項に記載の電気機器。
【発明の詳細な説明】
【技術分野】
【０００１】
本発明は、外部の装置又は電源等と、コードで接続される電気機器に関する。
【背景技術】
【０００２】
現在、電気機器には電源コードを始めとする種々のコードが接続されるものが多い。このような電気機器を、コードが接続されたままで移動させると、電気機器とコードとの接続部分、コード自体、及び電源等とコードとの接続部分に力が加わり、これらが破損する虞がある。
【０００３】
特許文献１では、接続部にかかる力を防ぐことで、破損を防ごうとする試みがなされている。具体的には、特許文献１には、ハンディターミナルに、上記ハンディターミナルに接続されたＩ／Ｆケーブル、Ｉ／Ｆケーブルに設けられたプラグ、及びプラグが差し込まれるコネクタを介して接続される携帯プリンタが記載されている。特許文献１では、ユーザの身体に携帯プリンタを固定するために、ユーザの装着する腰ベルトをベルトクリップに挟持させ、このベルトクリップの一端を携帯プリンタに取り付けている。ベルトクリップには、ケーブル嵌め込み溝及び押圧部からなるケーブル挟み込み部が設けられている。
【０００４】
つまり、特許文献１の技術によると、Ｉ／Ｆケーブルがケーブル挟み込み部のケーブル嵌め込み溝に嵌入されると、押圧部によってＩ／Ｆケーブルが押圧され、ケーブル嵌め込み溝内にＩ／Ｆケーブルが定着される。よって、誤ってハンディターミナルを落下させてしまった場合でも、Ｉ／Ｆケーブルはベルトクリップのケーブル挟み込み部に支持されているので、ケーブル挟み込み部にて落下時の衝撃を吸収でき、プラグやコネクタを衝撃から保護することができる。
【特許文献１】特開２００５−１６１５３４号公報（２００５年６月２３日公開）
【発明の開示】
【発明が解決しようとする課題】
【０００５】
しかし、外部の電源等とコードを介して接続されている電気機器において、上記従来の技術を適用した場合、電気機器と外部の電源等との距離が変わったときに、コード自体及びコードと外部の電源等との接続部分に力が加わることは避けられない。
【０００６】
本発明は上記従来の課題に鑑み、電気機器が移動されたときに生じるこのような力がコード等に加わることを防ぐことのできる電気機器を提供することを目的とする。
【課題を解決するための手段】
【０００７】
上記課題を解決するために、請求項１の電気機器は、本体と、ユーザが上記本体を移動させるときに手をかけるための持ち手と、外部のコードの一端を上記本体に接続された状態に固定し、上記持ち手に力が加えられたときに上記コードの固定を解除するようになっている固定部と、を備える構成である。
【０００８】
上記構成によると、ユーザが電気機器の本体に接続されたコードを抜き忘れたままで上記本体を移動させようとしたとき、上記固定部がコードの固定を解除することで、コードが容易に電気機器の本体から外れるようになり、コードと電気機器の接続部分及びコード等に力が加わるのを防ぐことができる。
【０００９】
請求項２に記載するように、請求項１の電気機器は、上記固定部が固定を解除しても上記コードの一端を上記本体に接続された状態に保持可能であって、上記固定が解除されると共に上記一端を上記本体から離す方向の力が上記一端に働いたときに上記一端を解放する仮固定部をさらに備える構成とすることもできる。
【００１０】
上記構成によると、固定部による固定が解除されても、仮固定部によってコードと本体との接続が維持される。一方、コードが引っ張られたときのように、コードの一端を上記本体から離す方向に、上記一端に力が働いたときは、上記一端が解放されるので、コードと電気機器の接続部分及びコード等に力が加わるのを防ぐことができるという本発明の効果は損なわれない。すなわち、電気機器の接続部分及びコード等に力が加わることは防ぎつつも、可能な限り接続を維持することができる。
【００１１】
また、請求項３に記載するように、請求項２の電気機器は、上記固定部によって固定されるコードに接続し、上記コードを介して外部の電源から電力を本体に供給する機器側接続端と、上記本体が設置場所から持ち上げられたことを検知する移動検知部と、上記機器側接続端を介して供給される電力により稼動し、上記本体が持ち上げられたことを上記移動検知部が検知したときにユーザに警告を発する報知部と、をさらに備える構成であってもよい。
【００１２】
上記構成によると、まず上記持ち手に力が加えられた時点ではコードの固定が解除されるが、コードの本体への接続は仮固定部によって維持されているので、報知部への電力供給は確保される。よって、上記本体が持ち上げられたときに、報知部は警告を発することができる。
【００１３】
また、請求項４に記載するように、請求項２又は３に記載の電気機器は、上記仮固定部が、上記本体の外面に設けられ、上記コードの一端と嵌合する凹部である構成であってもよい。
【００１４】
また、請求項５に記載するように、請求項１〜４のいずれか１項に記載の電気機器は、上記持ち手が、上記本体の設置姿勢における上記本体の側面から横方向に突出する凸部であり、上記持ち手に上記本体の設置姿勢において上向きに加えられた力を、上記固定部に伝える伝達部をさらに備え、上記固定部は、上記伝達部によって伝達された上記力によって、上記コードの固定を解除するようになっている構成であってもよい。
【００１５】
また、本体と接続された全てのコードに力がかかることを防ぐために、請求項６に記載するように、請求項１〜５のいずれか１項に記載の電気機器は、上記固定部が上記本体に接続されるコードの全てを固定するようになっている構成であることが好ましい。
【発明の効果】
【００１６】
本発明の電気機器によると、ユーザが電気機器の本体に接続されたコードを抜き忘れたままで上記本体を移動させようとしたとき、固定部がコードの固定を解除することで、コードが容易に電気機器の本体から外れるようになり、コードと電気機器の接続部分及びコード等に力が加わるのを防ぐことができる。
【発明を実施するための最良の形態】
【００１７】
本発明の電気機器の実施の一形態である複合機１について、以下、図面を参照して説明する。なお、各図面間で、ｘ軸方向、ｙ軸方向、ｚ軸方向は、それぞれ複合機１の通常の設置姿勢において、ユーザから見て横方向、奥行き方向、高さ方向に相当する。また、以下で「上」又は「下」とは、それぞれ、複合機１の通常の設置姿勢における上又は下を意味する。
【００１８】
〔１〕複合機１の概要
図１は複合機１の斜視図である。図１に示すように、複合機１は、本体１０を備え、本体１０に接続される電源コード２００を介して電源３０１から電力を得るようになっている。また、本体１０には回線コード２０１が接続されており、複合機１は、回線コード２０１を介して、回線３０２に接続された外部のファクシミリ及びコンピュータ等と画像データ等種々の情報のやり取りを行うことができる。なお、本発明は、複合機だけでなく、コードが接続される機器に広く適用可能である。
【００１９】
電源コード２００の接続端及び回線コード２０１の接続端は、一つのプラグ２０２に固定されている。複合機１は、このプラグ２０２が差し込まれる差込口（開口部）３を備える。なお、回線コードとは、インターネット等の電気通信回線、電話回線等を含む。また、プラグ２０２及び差込口３を介して複合機１に接続されるコードとしては、以上に述べたものに限定されず、ＵＳＢケーブル等、他の種々のコードがあり得る。また、プラグ２０２には３本以上のコードが接続されていてもよい。
【００２０】
複合機１はさらに、その本体１０の底面に接地センサ４を備え、本体１０の側面には、取手（持ち手）５と、取手５の下面から下側に突出するように配された可動部６を備える。
【００２１】
なお、複合機１は、電源コード２００から、複合機１の各部の動作に必要な全ての電力を得ているものとする。
【００２２】
〔２〕コードとの接続機構
図２を参照して、複合機１と電源コード２００との接続機構について説明する。図２は、プラグ２０２が差し込まれた状態の差込口３の断面図である。
【００２３】
なお、複合機１と電源コード２００とを接続する機構と、複合機１と回線コード２０１等の他のコード又はケーブルとを接続する機構は、略同一なので、以下では電源コード２００との接続機構について説明し、他のコード又はケーブルとの接続機構については説明を省略する。
【００２４】
差込口３は、プラグ２０２と嵌合するように本体１０の外部から内部に向かって凹んだ構造となっている。差込口３の内部には、複合機１内の各回路に接続されている導線７の接続端子（機器側接続端）７１が設けられており、差込口３にプラグ２０２が差し込まれると、電源コード２００の接続端子２０３と複合機１の接続端子７１とが接続される。
【００２５】
なお、差込口３の内壁の形状及び内部の空洞の大きさ等は、後述の固定部７による固定が解除されただけではプラグ２０２が差込口３から抜けない程度にプラグ２０２を差込口３内に固定することができるよう、プラグ２０２の外形に応じて形成されている。
【００２６】
言い換えると、差込口３は、このようにプラグ２０２をある程度の強さで固定することができれば、その形状は限定されるものではない。すなわち、例えば図３の断面図に示すように、本体１０からｙ方向に突出した突起３１を、接続端子７１を囲むように設け、この突起３１の内壁を差込口３とすることもできる。この場合、突起３１は複数設けてもよいし、プラグ２０２を囲むように連続して形成されていてもよく、プラグ２０２を本体１０に固定することができれば、その形状は限定されない。
【００２７】
また、差込口３の内壁に、プラグ２０２を仮固定するような機構を設けてもよい。このような機構としては、例えば差込口３の内壁に設けられた複数の突起によってプラグ２０２を挟んで固定したり、同じく突起によって差込口３のプラグ２０２を内壁に押し付けたりする機構を設ければよい。
【００２８】
〔３〕プラグの固定及び固定の解除
図４〜図６を参照して、複合機１のプラグ２０２の固定機構について説明する。図４は、ｘｚ平面における複合機１の端面図であり、図５はプラグ２０２が本体１０に固定されているとき、図６はプラグ２０２の固定が解除されたときの複合機１の内部の状態を示す図面である。
【００２９】
図４に示すように、取手５は本体１０の外側面に設けられており、ユーザは取手５に下側から上に向けて力を加えることで、本体１０を持ち上げて移動させることができる。本実施形態では、本体１０の側面に凹部が形成されており、ユーザはこの凹部の内面に手をかけることができるようになっている。取手はこの形状に限定されるものではなく、本体１０において、取手が周囲から相対的に突出していれば、この取手を介して本体１０に力を加えるやすいので、ユーザにとっては本体１０を移動させることが容易になる。
【００３０】
なお、取手５は、本体１０を挟むように、２つの外側面に設けられることが好ましい。本実施形態では、本体１０の外形を略直方体形状とし、取手５は互いに平行な２つの外側面に１つずつ、計２つ設けられている。
【００３１】
可動部６は、ユーザが取手５をつかんだときにユーザの手が触れる位置に設けられ、ユーザによって加えられる上向きの力によって図４の矢印方向に移動し、本体１０内部に押し込まれるようになっている部材である。図４には、通常時の可動部６を実線で、本体１０に押し込まれたときの可動部６を点線で示す。
【００３２】
ユーザは、本体１０を持ち上げようとするときに、取手５に対して上向きの力を加える。そこで、本実施形態では、可動部６が取手５の下面に配され、ユーザによって上向きに押し上げられる構成とすることによって、後述するように、ユーザが本体１０を持ち上げようとする力をプラグ２０２の固定の解除に利用している。
【００３３】
複合機１には、差込口３に差し込まれたプラグ２０２を本体１０に固定するような機構が設けられている。そのような固定機構の例として、本実施形態では、複合機１は、プラグ２０２に下から上に凹むように形成された凹部２０４に嵌まる突起を備える。この突起を固定部７と称する。固定部７は、下側から凹部２０４に嵌合することで、電線２００に引っ張る力が働いてもプラグ２０２が外れないように、プラグ２０２を本体１０に固定することができる。
【００３４】
固定部７は可動部６と連動するようになっており、具体的には、固定部７は可動部６の上方向への移動に伴って下向きに移動するようになっている。具体的には、可動部６と固定部７との間には、可動部６が移動したこと、つまり可動部６に加えられた力を固定部７に伝達する伝達部８が設けられている。図５及び図６に、伝達部８の要部構成を示す。伝達部８は、一端が可動部６に直接又は間接的に固定されたレバー８１を備える。レバー８１は、その中程が固定鋲８２によって本体１０に固定されており、レバー８１の他端には固定部７が形成されている。
【００３５】
上述したように、ユーザが手をかけることで可動部６が上向きに動かされると、レバー８１の一端は可動部６と連動して上向きに移動し、それに伴ってレバー８１の他端は下向きに移動する。その結果、固定部７が下向きに移動して凹部２０４から外れるので、プラグ２０２の固定が解除される。但し、上述したように、固定部７が凹部２０４から外れても、プラグ２０２は差込口３によって本体１０に接続した状態に保持される。そこで、ユーザが取手５を持ったままでさらに本体１０を移動させると、電源コード２００に引っ張る力が加えられる。つまり、プラグ２０２は、プラグ２０２を差込口３から抜く方向（中抜き矢印の方向）に引っ張られ、差込口３の保持力よりもこの引っ張る力が大きくなると、プラグ２０２は差込口３から外れる。
【００３６】
以上に述べた構成は、ユーザが電気機器の本体を移動させようとする際に当該本体に加える力を利用してプラグを解放する構成の一例に過ぎず、本発明はこれに限定されるものではない。例えば伝達部８は、レバー８１及び固定鋲８２の他にさらなる部材を適宜備えていてもよい。
【００３７】
また、図４では、本実施形態では可動部６は２つの取手５のうち、片方にのみ設けられているものとしたが、取手５の両方に１つずつ、計２つ設けられていてもよい。可動部６を２つ設ける場合は、固定部７は、２つの可動部６のいずれか一方が移動することで、図５及び図６を参照して説明したように、プラグ２０２の固定を解除するようになっていればよい。
【００３８】
また、可動部６以外にも、ユーザが自らの意思で固定部７によるプラグ２０１の固定を解除することのできる機構を設けることが好ましい。このような機構を設けることで、ユーザは、取手５に手をかける前、つまり本体１０を移動させるための動作を行う前に、プラグ２０１を差込口３から容易かつ安全に抜くことができる。このような機構として、例えば上記実施形態において、本体１０の外側面のうち、差込口３と同じ面で差込口３の近傍に押下可能な釦を設けると共に、この釦の押下が押下されたことを、固定部７を下向きに移動させる力として伝達部８に伝えるような機構を設けてもよい。
【００３９】
〔４〕警告報知機構
図７及び図８を参照して、複合機１の警告報知機構について説明する。図７及び図８は、接地センサ４及びその周辺の部材を示す図面であり、図７は通常の設置姿勢における各部材を、図８は、複合機１の本体１０が持ち上げられたときの各部材を示す。
【００４０】
複合機１は上述した部材の他に、さらに報知駆動部９０を備える。報知駆動部９０は、接続端子７１及び電源コード２００を介して、電源３０１から供給される電力によって動作する。報知駆動部９０は、警告灯９１及びスピーカ９２を動作させることができる。
【００４１】
接地センサ４は、接続端子７１から報知駆動部９０に至る電路上に設けられ、スイッチ４１及び可動鋲４２を備える。スイッチ４１は、一端が接続端子７１に接続されると共に、他端が報知駆動部９０に接続されており、接続端子７１と報知駆動部９０との間の電路を開閉する。可動鋲４２は、本体１０の内部から、本体１０の底面５０を貫通して外に突き出すように設けられる。
【００４２】
図７に示すように、本体１０が通常の設置姿勢にあるときは、可動鋲４２は設置地面Ｇによって本体１０内に押し込められる。可動鋲４２は、このように押し込められることでスイッチ４１を開くようになっている。こうして、本体１０が通常の設置姿勢にあるときは、報知駆動部９０は動作しない。
【００４３】
一方、図８に示すように底面５０が設置地面Ｇから離れると、可動鋲４２は下向きに移動し、それによってスイッチ４１が閉じられる。その結果、報知駆動部９０が作動し、それにより警告灯９１及びスピーカ９２が駆動され、ユーザに注意を促す警告光及び警告音が発せられる。
【００４４】
上記〔１〕〜〔４〕で述べた機構を複合機１が備えることで、プラグ２０２が差込口３に挿入されたままでユーザが本体１０を移動させようとしたとき、まずユーザが取手５に手をかけることで固定部７によるプラグ２０２の固定が解除され、さらに持ち上げることで警告灯９１が警告光を発すると共にスピーカ９２が警告音を発する。複合機１は、この警告光及び警告音により、プラグ２０２を抜き忘れていることをユーザに認識させて、プラグ２０２を差込口３から抜くように促すことができる。なお、複合機１の要する電力は、全て接続端子７１を介して供給されるので、本体１０を持ち上げる前にプラグ２０２が差込口３から外されている場合は、報知駆動部９０、警告灯９１、及びスピーカ９２に電力が供給されず、これらの部材は動作しない。
【００４５】
警告光等が発せられたにもかかわらず、ユーザが本体１０を移動させたときは、プラグ２０２が差込口３から容易に外れる。そのため、本体１０、プラグ２０２、電源コード２００、及び電源３０１と電源コード２００との接続部分等が損傷を受けにくい。
【００４６】
なお、以上の実施形態において、複合機１は、一つのプラグ２０２及び一つの差込口３を介して、複合機１に繋がる全てのコードが本体１０に接続されているものとした。しかし本発明はこれに限定されることなく、複合機１は複数のプラグに対応する複数の差込口を備えてもよい。このように複数の差込口を備える場合、全ての差込口が上述の差込口３及び固定部７と同様の構成を備え、ユーザによる移動時に加えられる力によってプラグを解放するようになっていることが好ましい。
【００４７】
以上、異なる欄に記載した技術は適宜組み合わせることができる。このような組合せで得られる技術に、公知技術を組み合わせた技術も、本発明の技術的範囲に含まれる。
【図面の簡単な説明】
【００４８】
【図１】本発明の実施の一形態にかかる複合機１の斜視図である
【図２】プラグ２０２が差し込まれた状態の差込口３の断面図である。
【図３】差込口３の他の形態を示す断面図である。
【図４】ｘｚ平面における複合機１の端面図である。
【図５】プラグ２０２が本体１０に固定されているときの複合機１の内部の状態を示す図面である。
【図６】プラグ２０２の固定が解除されたときの複合機１の内部の状態を示す図面である。
【図７】通常の設置姿勢における接地センサ４及びその周辺の部材を示す図面である。
【図８】複合機１の本体１０が持ち上げられたときの接地センサ４及びその周辺の部材を示す図面である。
【符号の説明】
【００４９】
１    複合機（電気機器）
１０  複合機本体
３    差込口（仮固定部）
４    接地センサ（移動検知部）
４１  スイッチ
４２  可動鋲
５    取手
６    可動部
７    固定部
８    伝達部
２００  電源コード
２０１  回線コード
３０１  電源
３０２  回線
９０    報知駆動部（報知部）
９１    警告灯（報知部）
９２    スピーカ（報知部）
【図１】
2008210596.tif 000003
【図２】
2008210596.tif 000004
【図３】
2008210596.tif 000005
【図４】
2008210596.tif 000006
【図５】
2008210596.tif 000007
【図６】
2008210596.tif 000008
【図７】
2008210596.tif 000009
【図８】
2008210596.tif 000010